(57)【要約】【課題】  精神疾患のある患者の精神疾患症状の改善をはかれるのみならず、健常者にも精神疾患の予防ならびにメンタルケアを行うことのできる高照度有色光照射装置を提供すること。【解決手段】  光の３原色を構成する各色の光を照射する３つの光源１Ｒ、１Ｇ、１Ｂを各色の光が混合されるように配置し、前記各光源１Ｒ、１Ｇ、１Ｂをオン・オフするスイッチング手段３Ｒ、３Ｇ、３Ｂと、各光源１Ｒ、１Ｇ、１Ｂへの印加電圧を可変調整して各光源１Ｒ、１Ｇ、１Ｂの光度を調整する電圧調整手段４Ｒ、４Ｇ、４Ｂとを各光源１Ｒ、１Ｇ、１Ｂの回路にそれぞれ設け、光照射を受ける人に応じて効果のある色の高照度の光を照射することができるようにしたもの。【選択図】      図１
2007061164.tif 000002
【特許請求の範囲】
【請求項１】
光の３原色を構成する各色の光を照射する３つの光源を各色の光が混合されるように配置し、
前記各光源をオン・オフするスイッチング手段と、各光源への印加電圧を可変調整して各光源の光度を調整する電圧調整手段とを前記各光源の回路にそれぞれ設けたことを特徴とする高照度有色光照射装置。
【請求項２】
前記各電源の回路を制御する制御手段が設けられており、この制御手段には、３つの前記光源の少なくとも１つをオンすることにより形成される有色光の色に対応する少なくとも１つの光源への印加電圧を記憶するメモリが付設されていることを特徴とする請求項１に記載の高照度有色光照射装置。
【発明の詳細な説明】
【技術分野】
【０００１】
本発明は、高照度の有色光を人間の目に照射するための高照度有色光照射装置に係り、特に、精神疾患症状の改善や予防ならびにメンタルケアに好適な高照度有色光照射装置に関する。
【背景技術】
【０００２】
従来から、季節性うつ病などのある種のうつ病の治療法として高照度光療法が知られている。この高照度光療法は、蛍光灯などを用いて自然光に近い高照度の光を患者の顔に照射する方法である。この光の光源としては、通常は２５００〜３０００ルクスの照度が得られるもの、明るいものでは、１００００ルクスの照度が得られるものが使用されている。また、この照射時間としては、光源の明るさに左右されるが、３０分から１時間程度の連続照射が必要である。
【発明の開示】
【発明が解決しようとする課題】
【０００３】
しかしながら、前述した自然光のような光の照射の場合、光の照射を受けても何らの改善も見られない患者もいるという問題点があった。
【０００４】
そこで、本発明は、精神疾患のある患者の精神疾患症状の改善をはかれるのみならず、健常者にも精神疾患の予防ならびにメンタルケアを行うことのできる高照度有色光照射装置を提供することを目的とするものである。
【課題を解決するための手段】
【０００５】
前述した目的を達成するため、本発明の請求項１に係る高照度有色光照射装置の特徴は、光の３原色を構成する各色の光を照射する３つの光源を各色の光が混合されるように配置し、前記各光源をオン・オフするスイッチング手段と、各光源への印加電圧を可変調整して各光源の光度を調整する電圧調整手段とを前記各光源の回路にそれぞれ設けた点にある。そして、このような構成を採用したことにより、光照射を受ける人に応じて効果のある色の高照度の光を照射することができる。
【０００６】
本発明の請求項２に係る高照度有色光照射装置の特徴は、前記各電源の回路を制御する制御手段が設けられており、この制御手段には、３つの前記光源の少なくとも１つをオンすることにより形成される有色光の色に対応する少なくとも１つの光源への印加電圧を記憶するメモリが付設されている点にある。そして、このような構成を採用したことにより、光照射を受ける人に応じて効果のある色の高照度の光を制御手段のメモリに記憶させておくことにより、照射を受ける人に好ましい色の光を簡単に再生することができる。
【発明の効果】
【０００７】
本発明の高照度有色光照射装置によれば、照射を受ける人に好ましい色の高照度の光を照射して、精神疾患のある患者の精神疾患症状の改善をはかったり、健常者の精神疾患の予防ならびにメンタルケアを行うことができる。
【発明を実施するための最良の形態】
【０００８】
まず、本発明の高照度有色光照射装置は、図１に示すように、光の３原色を構成する各色の光を照射する３つの発光ダイオードからなる光源１Ｒ、１Ｇ、１Ｂ（以下、光源１で総称する）を各色の光が混合されるように相互に近接した位置に有している。各光源１Ｒ、１Ｇ、１Ｂは、１００００〜２００００ルクスの照度が得られる光を発光しうるようになっている。このうち、光源１Ｒは、赤色の光を照射するようになっている。また、光源１Ｇは、緑色の光を照射するようになっている。さらに、光源１Ｂは、青色の光を照射するようになっている。
【０００９】
そして、光源１Ｒと光源１Ｇからの光が均等に混合されると黄色の光が照射されることになる。また、光源１Ｇと光源１Ｂからの光が均等に混合されると水色の光が照射されることになる。さらに、光源１Ｂと光源１Ｒからの光が均等に混合されると桃色の光が照射されることになる。
【００１０】
なお、光源１Ｒ、光源１Ｇと光源１Ｂからの光が均等に混合されると無色の光が照射されることになる。また、各光源１Ｒ、１Ｇ、１Ｂへの印加電圧が異なると、混合されて生じる光の色も異なることになる。
【００１１】
前記各光源１Ｒ、１Ｇ、１Ｂへは、それぞれ対応する電源回路２Ｒ、２Ｇ、２Ｂから印加電圧が供給されるようになっている。
【００１２】
前記各電源回路２Ｒ、２Ｇ、２Ｂには、それぞれスイッチングトランジスタ３Ｒ、３Ｇ、３Ｂが配設されており、各スイッチングトランジスタ３Ｒ、３Ｇ、３Ｂのエミッタおよびベース間に電流を流すことにより、エミッタおよびコレクタ間に所定の印加電圧の電流が流れるようになっている。
【００１３】
また、各電源回路２Ｒ、２Ｇ、２Ｂのスイッチングトランジスタ３Ｒ、３Ｇ、３Ｂと光源１Ｒ、１Ｇ、１Ｂとの間には、電圧調整手段としての可変抵抗４Ｒ、４Ｇ、４Ｂが介装されており、各光源１Ｒ、１Ｇ、１Ｂの印加電圧を可変調整するようになっている。
【００１４】
一方、前記各電源回路２Ｒ、２Ｇ、２Ｂの制御を行うＣＰＵのような制御手段５が配設されており、この制御手段５は、各光源１Ｒ、１Ｇ、１Ｂのうちの選択された１つ、あるいは、選択された２つ、さらには、３つすべてを異なる印加電圧あるいは等しい印加電圧で駆動して、各種の色の光を所望の高照度にて形成するようになっている。
【００１５】
また、前記制御手段５には、メモリ６が付設されており、このメモリ６は、前記制御手段５が設定した少なくとも１つの光源１Ｒ、１Ｇ、１Ｂに対する印加電圧をそれぞれ記憶して、高照度有色光の照射を受ける人に対し好ましい色の光を簡単に再生することができるようになっている。
【００１６】
なお、前記制御手段５と各スイッチングトランジスタ３Ｒ、３Ｇ、３Ｂとの間の各電源回路２Ｒ、２Ｇ、２Ｂには、各スイッチングトランジスタ３Ｒ、３Ｇ、３Ｂに過大電圧が印加されるのを防止するための入力抵抗７Ｒ、７Ｇ、７Ｂがそれぞれ介装されている。
【００１７】
図２は、ゴーグルタイプの高照度有色光照射器１０Ａを示すものであり、このゴーグルタイプの高照度有色光照射器１０Ａには、図１に示した高照度有色光照射装置が内蔵されている。この高照度有色光照射器１０Ａは、頭部に装着するための装着環１１を有している。この装着環１１の前部には遮光部１２が配設されており、この遮光部１２の内側には、光の３原色を構成する３つの光源（図示せず）が配設されている。この高照度有色光照射器１０Ａは、特に運転中のドライバーの眠気さましなどに好適である。
【００１８】
図３は、マッサージチェア１４に装着されているフード状の高照度有色光照射器１０Ｂを示すものであり、この高照度有色光照射器１０Ｂには、図１に示した高照度有色光照射装置が内蔵されている。
【００１９】
前記マッサージチェア１４の背もたれ１５の上端部には、顔を覆いうる前記高照度有色光照射器１０Ｂが揺動可能に配設されており、この高照度有色光照射器１０Ｂの前端壁１６の内側には、光の３原色を構成する３つの光源（図示せず）が配設されている。
【００２０】
図４は、ベッド１８に装着されている高照度有色光照射器１５Ｃを示すものであり、この高照度有色光照射器１０Ｃには、図１に示した高照度有色光照射装置が内蔵されている。
【００２１】
前記ベッド１８の前壁１９の上端部には、顔の上方に位置する前記高照度有色光照射器１０Ｃが揺動可能に配設されており、この高照度有色光照射器１０Ｃの下面には、光の３原色を構成する３つの光源（図示せず）が配設されている。この高照度有色光照射器１０Ｃは、特に寝たきりの高齢者などへの有色光の照射に適している。
【００２２】
図５は、カプセル２１内に装着されている高照度有色光照射器１０Ｄを示すものであり、この高照度有色光照射器１０Ｄには、図１に示した高照度有色光照射装置が内蔵されている。
【００２３】
前記カプセル２１は、大人が立ったままで入れるような大きさの円筒状に形成されたカプセル本体２２を有しており、このカプセル本体２２の前面には、開閉可能なドア２３が取付けられている。
【００２４】
前記高照度有色光照射器１０Ｄは、前記カプセル本体２２の上面に配設されており、この高照度有色光照射器１０Ｄの下面には、光の３原色を構成する３つの光源（図示せず）が配設されている。そして、この高照度有色光照射器１０Ｄからの有色光が、前記カプセル２１内に入った人の顔に照射されるようになっている。この高照度有色光照射器１０Ｄは、特に事業所や施設に設置し、照射が必要な関係者への有色光を照射するのに適している。
【００２５】
図６は、図５の変形例であり、幅方向の中央部の上面が凹状にくぼんでいる形状のベッド２５上に上方から対向するように開閉自在な被覆体２６が前記ベッド２５に取付けられており、この被覆体２６の幅方向の中央部の下面も凹状にくぼんでいる形状とされている。したがって、前記被覆体２６がベッド２５上に近接している状態においては、両端は開放されているものの全体としてほぼカプセル状となる。
【００２６】
そして、前記被覆体２６の下面には、図１に示した高照度有色光照射装置が内蔵されている図示しない高照度有色光照射器が設置されており、この高照度有色光照射器の下面には、光の３原色を構成する３つの光源（図示せず）が配設されている。そして、この高照度有色光照射器からの有色光がベッド２５上に寝た人の顔に照射されるようになっている。
【００２７】
図７は、座卓２８の上に載置されている卓上タイプの高照度有色光照射器１０Ｅを示すものであり、この高照度有色光照射器１０Ｅの斜め上方に向いている前面の内部には、図１に示した高照度有色光照射装置が内蔵されている。そして、この高照度有色光照射器１０Ｅの前面には、光の３原色を構成する３つの光源（図示せず）が配設されている。そして、この高照度有色光照射器１０Ｅからの有色光が、この高照度有色光照射器１０Ｅの前に座っている人の顔に照射されるようになっている。この高照度有色光照射器１０Ｅは、特に家庭用として適している。
【００２８】
つぎに、前述した高照度有色光照射器１０Ａ〜１０Ｅの照射は、時差ぼけ、疲れ、不眠症などにより体内時計の狂った人にも有効な場合がある。すなわち、前記体内時計は、人間を含む生物が生まれつき備えていると想定される時間測定機構で、生物時計とも称されるものであるが、このような体内時計が何らかの要因により狂った場合に、高照度有色光照射器１０Ａ〜１０Ｅから高照度の有色光を目に照射することにより、狂った体内時計が改善されることがある。
【００２９】
また、人間においては、体内時計に基づき１日のうちで血圧、尿量、胃酸分泌量、細胞分裂その他各種の体組織および機能が変化することになるが、この変化を考慮して、１日のうちの好ましい時間に高照度有色光照射器１０Ａ〜１０Ｅからの高照度の有色光を目に照射することにより、体組織あるいは機能の異常を正常に戻すことができる場合がある。
【００３０】
つぎに、前述した構成からなる本実施形態の作用について説明する。
【００３１】
図１において説明した高照度有色光照射装置を適用した図２ないし図７のいずれかの高照度有色光照射器１０Ａ〜１０Ｅによれば、１人の患者あるいは健常者に対し、制御手段５により赤色の光を照射する光源１Ｒ、緑色の光を照射する抗原１Ｇ、青色の光を照射する光源１Ｂからのそれぞれの光のうちの１つの光のみを単色で照射するか、あるいは２つ以上の光を混ぜて照射のための所望の色の光が得られるようにするとともに、各光源１Ｒ、１Ｇ、１Ｂからのそれぞれの光を混ぜて、太陽光に近い１００００〜２００００ルクスの範囲内の所望の高照度の光が得られるように各光源１Ｒ、１Ｇ、１Ｂに対応する電源回路２Ｒ、２Ｇ、２Ｂのうちの少なくとも１つの可変抵抗４Ｒ、４Ｇ、４Ｂの電圧値を制御手段５により調整する。このとき、各光源１Ｒ、１Ｇ、１Ｂの少なくとも１つをオンにする時間についても設定を行う。
【００３２】
この制御手段５により設定した少なくとも１つの可変抵抗４Ｒ、４Ｇ、４Ｂの電圧値および少なくとも１つの光源１Ｒ、１Ｇ、１Ｂをオンにする時間についてはメモリ６に自動的に記憶されることになる。
【００３３】
そして、このようにして設定された少なくとも１つの可変抵抗４Ｒ、４Ｇ、４Ｂの電圧値に応じた明るさの少なくとも１つの光源１Ｒ、１Ｇ、１Ｂを設定した時間だけオンして、所望の高照度の有色光を人の顔に照射し、この高照度の有色光を目を開けて受けることにより光療法による精神状態あるいは体調の改善を行うことができる。
【００３４】
なお、前述したようにして設定した少なくとも１つの可変抵抗４Ｒ、４Ｇ、４Ｂの電圧値および少なくとも１つの光源１Ｒ、１Ｇ、１Ｂをオンにする時間が光を受けた人の精神状態あるいは体調の改善に適さない場合には、照射する光の色や照射する光の照度を変えるべく少なくとも１つの可変抵抗４Ｒ、４Ｇ、４Ｂの電圧値を変えたり、照射時間を変えたり、あるいは照射する時間帯を変えたりして、有色光の照射を受ける人に改善が生じる条件を見出すようにする。なお、場合によっては、連続的な有色光の照射ではなく、パルス的な断続光の照射にしてもよい。
【００３５】
以上説明したように本実施形態の高照度有色光照射装置によれば、光の色、照度、照射時間、照射時間帯などを照射を受ける人に適合するように変化させて高照度有色光を照射することにより、精神疾患のある患者の精神疾患症状の改善をはかれるのみならず、健常者にも精神疾患の予防ならびにメンタルケアを行うことができる。したがって、長距離ドライバーの眠気さましやリフレッシュ、ストレス解消、疲労回復、集中力の向上、誘眠、時差ぼけなどに顕著な効果を奏するものであるといえる。
【００３６】
しかも、発光ダイオードからなる各光源１Ｒ、１Ｇ、１Ｂから発せられる有色光は、多色の波長の混合が少ないため、所望の色を得やすいという効果もある。
【００３７】
なお、本発明は、前述した実施の形態に限定されるものではなく、必要に応じて種々の変更が可能である。
【図面の簡単な説明】
【００３８】
【図１】本発明に係る高照度有色光照射装置の実施形態を示す電気回路図
【図２】ゴーグルタイプの高照度有色光照射器の実施形態を示す斜視図
【図３】マッサージチェアに搭載した高照度有色光照射器の実施形態を示す斜視図
【図４】ベッドに搭載した高照度有色光照射器の実施形態を示す側面図
【図５】カプセルタイプの高照度有色光照射器の第１実施形態を示す斜視図
【図６】カプセルタイプの高照度有色光照射器の第２実施形態を示す斜視図
【図７】卓上タイプの高照度有色光照射器の実施形態を示す斜視図
【符号の説明】
【００３９】
１Ｒ  赤色の光源
１Ｇ  緑色の光源
１Ｂ  青色の光源
２Ｒ、２Ｇ、２Ｂ  電源回路
３Ｒ、３Ｇ、３Ｂ  スイッチングトランジスタ  
４Ｒ、４Ｇ、４Ｂ  可変抵抗  
５  制御手段  
６  メモリ
１０Ａ〜１０Ｅ  高照度有色光照射器  
１１  装着環  
１２  遮光部
１４  マッサージチェア
１５  背もたれ
１６  前端壁
１８  ベッド
１９  前壁
２１  カプセル
２２  カプセル本体
２３  ドア
２５  ベッド
２６  被覆体
２８  座卓
【図１】
2007061164.tif 000003
【図２】
2007061164.tif 000004
【図３】
2007061164.tif 000005
【図４】
2007061164.tif 000006
【図５】
2007061164.tif 000007
【図６】
2007061164.tif 000008
【図７】
2007061164.tif 000009